(57)【要約】【課題】ＷＤＭフィルタや光受信器等を追加することなく、低コストで高品質な光波長多重が実現できる光波長多重伝送システムを提供する。【解決手段】所定の地点で受信された第一の周波数多重信号１１が、光送信器２で波長λ１の光信号１２に変換され、光信号１２が光ファイバ３を伝送して光分配器４に入力される。また、別の地点で受信された第二の周波数多重信号１４が、光送信器６に入力されて波長λ２の光信号１５に変換され、光信号１５も光分配器４に入力される。光分配器４に入力された光信号１２と光信号１５は、光分配器４内で混合され、さらに各加入者宅に設置された光受信器５に伝送される。【選択図】図１
2007142496.tif 000002
【特許請求の範囲】
【請求項１】
所定の周波数帯で周波数多重された電気信号を入力して所定波長の光信号に変換する光送信器と、１以上の光信号を入力して２以上の光信号に分配する光分配器と、前記光分配器で分配された光信号を入力して前記電気信号に変換する光受信器と、前記光送信器と前記光分配器との間及び前記光分配器と前記光受信器との間を接続して光信号を伝送する光伝送路とを備える光波長多重伝送システムであって、
前記所定の周波数帯とは別の周波数帯で周波数多重された別の電気信号を前記所定波長とは異なる別波長の光信号に変換する別の光送信器をさらに備え、
前記別波長の光信号を前記光分配器の未使用の入力端に入力して前記所定波長の光信号と混合し、
前記光受信器は前記混合された２波長の光信号を入力して前記所定の周波数帯及び前記別の周波数帯で周波数多重された電気信号に変換する
ことを特徴とする光波長多重伝送システム。
【請求項２】
前記光分配器は溶融型光カプラ、または平面導波路である
ことを特徴とする請求項１に記載の光波長多重伝送システム。
【請求項３】
前記光送信器が放送波の受信に好適な所定の場所に設置され、
前記別の光送信器が前記所定の場所または別の場所に設置される
ことを特徴とする請求項１または請求項２に記載の光波長多重伝送システム。
【請求項４】
前記所定の周波数帯は70〜770MHｚであり、前記別の周波数帯は950〜2150MHｚ、または70〜2150MHｚである
ことを特徴とする請求項１から請求項３のいずれか１項に記載の光波長多重伝送システム。
【請求項５】
前記所定波長の光信号と前記別波長の光信号とは、各々の光強度が実質的に同等であり、かつ前記光受信器において前記所定波長の光信号のみを入力するときのＣＮ比と前記混合された２波長の光信号を入力するときのＣＮ比とが実質的に同等となるよう受光レベルが調整されている
ことを特徴とする請求項１から４に記載の光波長多重伝送システム。
【請求項６】
前記所定波長の光信号及び前記別波長の光信号を増幅するための光増幅器を前記伝送路に設ける
ことを特徴とする請求項１から請求項５のいずれか１項に記載の光波長多重伝送システム。
【請求項７】
請求項１〜請求項５に示すシステムを容易に実現するために、請求項２に記載の光分配器を内蔵することを特徴とする光送信器。
【請求項８】
請求項６に示すシステムを容易に実現するために請求項２に記載の光分配器を内蔵することを特徴とする光増幅器。
【発明の詳細な説明】
【技術分野】
【０００１】
本発明は、多チャンネル放送信号を光信号により多重伝送する光波長多重伝送システムに関するものである。
【背景技術】
【０００２】
山間部等のテレビ（ＴＶ）電波の受信が困難な地域では、受信に好適な山頂等で所定のアンテナを用いてＴＶ電波を受信し、受信したＴＶ電波の信号を所定の伝送線を経由して各加入者宅に配信する方法がとられている。近年は、伝送路に光ファイバを用いたシステムの導入が進められており、例えば各加入者宅までの伝送路にすべて光ファイバを用いるＦＴＴＨ（Fiber To The Home）方式の伝送システムがすでに実用化されている。
【０００３】
従来のＦＴＴＨ方式を用いてＴＶ信号を各加入者宅に配信する伝送システムを、図７に示す一例を用いて説明する。ＴＶ信号の周波数多重信号１０１は、異なる周波数（チャンネル）Ａ，Ｂ，Ｃ，Ｄを多重化した電気信号であり、光送信器１０２に入力されて波長λ１の光信号１０３に変換される。光信号１０３は、必要に応じて図示しない光増幅器で増幅されながら光ファイバ１０４を経由して光分配器１０５に伝送される。
【０００４】
光分配器１０５では、入力した光信号１０３を２以上の光信号に分配し、分配された各光信号を各加入者宅に備えられた光受信器１０６に伝送する。光受信器１０６は、入力した光信号を再び電気信号に変換して、周波数Ａ，Ｂ，Ｃ，Ｄが多重化された電気信号１０７を出力する。
【０００５】
図７に示すようなＦＴＴＨ方式の伝送システムで、例えばアナログＴＶ放送の信号が配信されている場合、同じ伝送システムを利用してさらに衛星放送の信号も配信させたいといったニーズがある。これを実現させるためには、いずれかの地点で衛星放送の周波数多重信号を所定のアンテナで受信し、受信した周波数多重信号の電気信号を光信号に変換し、これをアナログＴＶ放送用の光信号と混合して伝送させる必要がある。
【０００６】
アナログＴＶ信号やＢＳ−ＩＦ信号やＣＳ−ＩＦ信号等の高周波多重信号により強度変調された光信号に対し、これを混合したり分離したりするのに、一般的にはＷＤＭ（Wavelength Division Multiplexing）フィルタが用いられる（非特許文献１）。
【０００７】
ＦＴＴＨ方式による伝送システムにおいて、２波の周波数多重信号を混合して伝送する従来の伝送方式を図８〜図１１を用いて説明する。図８〜図１１では、当初第一の周波数多重信号１０１のみを伝送していたシステムに、第二の周波数多重信号１１１を追加して伝送させる方式を示している。
【０００８】
図８は、第二の周波数多重信号１１１を第一の周波数多重信号１０１と同じ地点で受信し、第一の周波数多重信号１０１を入力して光信号に変換する光送信器１０２に、第二の周波数多重信号１１１もあわせて入力する方式を示している。第一の周波数多重信号１０１と第二の周波数多重信号１１１を混合した周波数多重信号を、光送信器１０２で所定波長λ１の光信号１１２に変換している。
【０００９】
光信号１１２は、光ファイバ１０４を経由して光分配器１０５に伝送され、光分配器１０５で分配されて各加入者宅に備えられた光受信器１０６に入力される。そして、光受信器１０６で第一の周波数多重信号１０１と第二の周波数多重信号１１１を含む電気信号１１３に変換される。
【００１０】
図９は、第二の周波数多重信号１１１を第一の周波数多重信号１０１と同じ地点で受信し、光送信器１０２とは別の光受信器１２１に第二の周波数多重信号１１１を入力する方式を示している。
【００１１】
光送信器１０２は、第一の周波数多重信号１０１を波長λ１の光信号１０３に変換する一方、光受信器１２１は、第二の周波数多重信号１１１を別波長λ２の光信号１２２に変換する。光信号１０３と光信号１２２は、ＷＤＭフィルタ１２３で混合されて混合光信号１２４として光分配器１０５に伝送される。
【００１２】
混合光信号１２４は、光分配器１０５で各加入者宅に分配され、各加入者宅に備えられたＷＤＭフィルタ１２５に入力される。ＷＤＭフィルタ１２５によって、混合光信号１２４が波長λ１の光信号１２６と波長λ２の光信号１２７の２波に分波され、光信号１２６は光受信器１０６で第一の周波数多重信号１２８に変換される一方、光信号１２７は追加された光受信器１２９で第二の周波数多重信号１３０に変換される。
【００１３】
次に、第二の周波数多重信号１１１を第一の周波数多重信号１０１とは別の地点で受信する場合を、図１０と図１１を用いて説明する。図１０は、第一の周波数多重信号１０１と第二の周波数多重信号１１１を波長λ１の光信号で伝送する方式を示しており、図１１は、それぞれを別波長の光信号に変換した後、これを混合して伝送する方式を示している。
【００１４】
図１０において、光送信器１０２から出力される波長λ１の光信号１０３は、光ファイバ１０４を伝送している途中の地点で光受信器１４１により電気信号の第一の周波数多重信号１４２に戻される。そして、第一の周波数多重信号１４２は電気信号の第二の周波数多重信号１１１とともに光送信器１４３に再び入力されて波長λ１の光信号１４４に変換される。
【００１５】
光信号１４４は、図８に示した例と同様に、光分配器１０５で分配されたのち各加入者宅に備えられた光受信器１０６に入力され、ここで第一の周波数多重信号１０１と第二の周波数多重信号１１１を含む電気信号１４５に変換される。
【００１６】
また図１１では、伝送路である光ファイバ１０４の途中にＷＤＭフィルタ１２３を設け、光送信器１０２から出力された波長λ１の光信号１０３を入力する。また、第二の周波数多重信号１１１を光送信器１２１で波長λ２の光信号１２２に変換し、これをＷＤＭフィルタ１２３に入力する。そして、ＷＤＭフィルタ１２３は、波長λ１の光信号１０３と波長λ２の光信号１２２とを混合して混合光信号１２４を出力する。
【００１７】
以下、図９と同様に、混合光信号１２４が光分配器１０５で各加入者宅に分配されたのちＷＦＤＭフィルタ１２５で波長λ１の光信号１２６と波長λ２の光信号１２７に分波され、それぞれ光受信器１０６と光受信器１２９で第一の周波数多重信号１２８と第二の周波数多重信号１３０に変換される。
【非特許文献１】奈良一孝他、「ＦＴＴＨの映像配信サービスに向けたＰＬＣ−ＭＺＩ型３波多重広帯域ＷＤＭフィルタアレイ」、古河電工技報  第１６号(平成１７年７月)。
【発明の開示】
【発明が解決しようとする課題】
【００１８】
しかしながら、上記従来の２波以上の周波数多重信号を伝送させるＦＴＴＨ方式の伝送システムでは、以下のような問題があった。
【００１９】
図８に示す方式は、第二の周波数多重信号１１１を第一の周波数多重信号１０１とともに光送信器１０２に入力して光信号に変換させるものであるが、この方式は第一の周波数多重信号１０１と第二の周波数多重信号１１１が同じ地点で受信される場合のみ適用できるものであり、第二の周波数多重信号１１１を別の地点で受信する場合には適用できない。
【００２０】
また、光送信器１０２で変換できる周波数帯域が第二の周波数多重信号１１１の周波数帯域を含んでいない場合には、光送信器１０２をより広帯域に対応できるものと交換する必要がある。
【００２１】
また、図１０に示す方式では、光受信器１４１で電気信号の第一の高周波多重信号１４２に戻した後、光送信器１４３で再び光信号に変換しており、信号特性の劣化を招くことになる。また、光受信器１４１及び光送信器１４３を追加する必要があり、コストアップになるといった問題があった。
【００２２】
図９及び図１１に示したＷＤＭフィルタを用いる方式では、２波の光信号を混合するのにＷＤＭフィルタが必要となるだけでなく、各加入者宅にもＷＤＭフィルタと光受信器の追加が必要となり、大幅なコストアップになるといった問題があった。
【００２３】
さらに、ＷＤＭフィルタを使用することで伝送中の光損失が２〜３ｄＢ増加するため、伝送システムの伝送特性を劣化させたりダイナミックレンジを圧縮してしまうといった問題があった。予め、ＷＤＭフィルタによる損失増分を見込んで設計されていない場合には、本方式による波長多重を実現することはできない。
【００２４】
そこで、本発明はこれらの問題を解決するためになされたものであり、ＷＤＭフィルタや光受信器等を追加することなく、低コストで高品質な光波長多重が実現できる光波長多重伝送システムを提供することを目的とする。
【課題を解決するための手段】
【００２５】
この発明の光波長多重伝送システムの第１の態様は、所定の周波数帯で周波数多重された電気信号を入力して所定波長の光信号に変換する光送信器と、１以上の光信号を入力して２以上の光信号に分配する光分配器と、前記光分配器で分配された光信号を入力して前記電気信号に変換する光受信器と、前記光送信器と前記光分配器との間及び前記光分配器と前記光受信器との間を接続して光信号を伝送する光伝送路とを備える光波長多重伝送システムであって、前記所定の周波数帯とは別の周波数帯で周波数多重された別の電気信号を前記所定波長とは異なる別波長の光信号に変換する別の光送信器をさらに備え、前記別波長の光信号を前記光分配器の未使用の入力端に入力して前記所定波長の光信号と混合し、前記光受信器が前記混合された２波長の光信号を入力して前記所定の周波数帯及び前記別の周波数帯で周波数多重された電気信号に変換することを特徴とする光波長多重伝送システムである。
【００２６】
この発明の第２の態様は、前記光分配器が溶融型光カプラ、または平面導波路であることを特徴とする光波長多重伝送システムである。
【００２７】
この発明の第３の態様は、前記光送信器が放送波の受信に好適な所定の場所に設置され、前記別の光送信器が前記所定の場所または別の場所に設置されることを特徴とする光波長多重伝送システムである。
【００２８】
この発明の第４の態様は、前記所定の周波数帯が70〜770MHｚであり、前記別の周波数帯が950〜2150MHｚ、または70〜2150MHｚであることを特徴とする光波長多重伝送システムである。
【００２９】
この発明の第５の態様は、前記所定波長の光信号と前記別波長の光信号との各々の光強度が実質的に同等であり、かつ前記光受信器において前記所定波長の光信号のみを入力するときのＣＮ比と前記混合された２波長の光信号を入力するときのＣＮ比とが実質的に同等となるよう各々の受光レベルが調整されていることを特徴とする光波長多重伝送システムである。
【００３０】
この発明の第６の態様は、前記所定波長の光信号及び前記別波長の光信号を増幅するための光増幅器を前記伝送路に設けることを特徴とする光波長多重伝送システムである。
【００３１】
この発明のさらに別の態様として、第１の態様〜第６の態様に示すシステムを容易に実現するために、第２の態様に記載の光分配器を前記光送信器、または前記光増幅器に内蔵させることを特徴とする光波長多重伝送システムである。
【発明の効果】
【００３２】
以上説明したように本発明によれば、既設の光分配器を用いて光混合を行わせるようにしたことで、伝送中の光損失の増加を招くことなく波長多重が可能な光波長多重伝送システムを提供することができる。２波長の伝送にＷＤＭフィルタを用いたり光受信器を追加したりする必要がないため、低コストで実現することが可能となる。
【００３３】
また、光カプラ等の光分配器は波長依存性を殆ど有しないことから、広範囲の波長の光源を利用することが可能となる。その結果、例えば光源に用いられるレーザーダイオードの温度変動または電流変動等によって波長が変動した場合でも、光損失の増大を招くことがない。
【００３４】
また、光受信器に入力される光信号の受信レベルを適切に設定することにより、２波伝送時にもＣＮ比特性の劣化を伴わない高品質な伝送を実現することができ、かつ追加可能なチャンネル数が大きく制約されることもなく、拡張性の高い光波長多重伝送システムを提供することができる。２波長の光信号の伝送であっても高品質を維持できることから、フィルタを用いる必要がなく低コストで実現できる。
【００３５】
さらに、本発明の光波長多重伝送システムでは、追加する放送波を従来の受信点と異なる地点で受信して伝送させることが可能なことから、従前の設備への装置の追加や消費電力の増大を回避することができ、メンテナンスの容易なシステムを構築することが可能となる。
【発明を実施するための最良の形態】
【００３６】
図面を参照して本発明の好ましい実施の形態における光波長多重伝送システムの構成について詳細に説明する。なお、同一機能を有する各構成部については、図示及び説明簡略化のため、同一符号を付して示す。
【００３７】
図１は、本発明の実施の形態に係る光波長多重伝送システムの概略の構成を示すブロック図である。本実施形態の光波長多重伝送システム１は、所定の地点に設けられた光送信器２と、伝送路である光ファイバ３と、光信号を各加入者宅に分配する光分配器４と、各加入者宅に設置された光受信器５と、前記所定の地点とは別の地点に設けられた光送信器６とから構成されている。
【００３８】
図１において、光送信器６を除いた構成は、前記所定の地点で受信した放送波のみを伝送するために当初設置されたシステム構成であって、本実施形態の光波長多重伝送システム１ではさらに光送信器６が追加されている。
【００３９】
前記所定の地点で受信された第一の周波数多重信号１１が、光送信器２で波長λ１の光信号１２に変換され、光信号１２が光ファイバ３を伝送して光分配器４に入力される。また、前記別の地点で受信された第二の周波数多重信号１４が、光送信器６に入力されて波長λ２の光信号１５に変換され、光信号１５も光分配器４に入力される。
【００４０】
光分配器４に入力された光信号１２と光信号１５は、光分配器４内で混合され、さらに各加入者宅に設置された光受信器５に伝送される。各加入者宅の光受信器５に伝送された光信号１２と光信号１５の混合波１３は、光受信器５で再び電気信号の周波数多重信号１６に変換される。周波数多重信号１６は、第一の周波数多重信号１１と第二の周波数多重信号１４とが合成された電気信号である。
【００４１】
本実施形態の光波長多重伝送システム１によって伝送される信号の一実施例を図２に示す。ここでは、第一の周波数多重信号１１を異なる周波数（チャンネル）Ａ，Ｂ，Ｃ，Ｄが多重化された電気信号としており、第二の周波数多重信号１４を異なる周波数（チャンネル）Ｆ，Ｇが多重化された別の電気信号としている。第一の周波数多重信号１１を周波数帯７０〜７７０ＭＨｚの放送波とし、第二の周波数多重信号１４を周波数帯９５０〜２１５０ＭＨｚまたは７０〜２１５０ＭＨｚの別の放送波とすることができる。
【００４２】
図２において、４チャンネルからなる第一の周波数多重信号１１は、光送信器２で同図に示すような波長λ１の光信号１２に変換される。また、２チャンネルからなる第二の周波数多重信号１４は、光送信器６で同図に示すような波長λ２の光信号１５に変換される。そして、光信号１２と光信号１５は、光分配器４で合波されて同図に示すような混合波１３になる。さらに、混合波１３は、光受信器５で電気信号に変換され、同図に示すような６チャンネルからなる周波数多重信号１６として出力される。
【００４３】
光分配器４は、溶融型光カプラまたは平面導波路を用いることができる。例えば、光分配器４として溶融型光カプラを用いた場合、該溶融型光カプラは複数の光ファイバを束ね中央部分を溶融して形成されていることから、入力端と出力端を同数だけ有している。しかしながら、該溶融型光カプラを光分配器として用いる場合には、入力端の一部のみに光が入力され、その他の入力端は終端処理されている。
【００４４】
図１に示す光分配器４では、当初は光信号１２の１信号のみを入力していたため、いずれか１つの入力端のみが使用され、その他の入力端はすべて終端処理されていた。
【００４５】
そこで本実施形態の光波長多重伝送システム１では、光分配器４の終端処理されていた入力端のいずれか１つを再び利用できるようにし、該入力端に光信号１５を入力させるようにしている。すなわち、既存の光分配器４を利用して光信号１５を光信号１２と合波させるようにしている。光分配器４に入力された光信号１５は、光信号１２とともに均等に分配されて各加入者宅に伝送される。
【００４６】
各加入者宅に伝送された光信号１２と光信号１５の混合波は、光受信器５で電気信号に変換されて第一の周波数多重信号１１と第二の周波数多重信号１４を含む電気信号１６を出力する。なお、光受信器５が第二の周波数多重信号１４の周波数帯域に対応していない場合には、対応していない光受信器５を所定の広帯域のものに交換することになる。
【００４７】
上記の通り、本実施形態の光波長多重伝送システム１では、光信号１４を光信号１２に混合するのに既存の光分配器４を用いるようにしたことにより、コストアップを回避できるだけでなく、光信号１２と１５の光損失の増加を回避することも可能となる。
【００４８】
また、従来のＷＤＭフィルタを用いて光混合を行う方式では、該ＷＤＭフィルタで規定された特定波長の光信号しか用いることができなかった。すなわち、光信号１２の波長λ１と光信号１５の波長λ２は、用いるＷＤＭフィルタで規定された特定の波長に一致させる必要があった。
【００４９】
これに対し本発明では、光信号１２と光信号１５との合波に光カプラ等の光分配器４を用いるようにしたため、波長依存性がほとんどなく、広い波長範囲の光源を利用することが可能となる。その結果、光送信器２、６に備えられた光源であるレーザーダイオードの温度または電流の変動によって、光信号１２、１５の波長に変動が生じた場合でも、光損失の増大を招く恐れがなくなる。
【００５０】
光信号１２に光信号１５を合波して２波長の光信号を伝送させる場合には、光信号１２のみを伝送させる場合に比べて光受信器５での光信号の品質が低下してしまう可能性がある。光受信器５における各光信号の受光レベルとＣＮ比との関係を図３に示す。ここで、ＣＮ比は信号とノイズとの比を表すものであり、ＣＮ比が大きいほど高品質となる。
【００５１】
図３において、グラフ２１は光受信器５が光信号１２の１波のみを受信するときの受光レベルとＣＮ比との関係を示しており、グラフ２２は光受信器５が光信号１２と光信号１５との２波を受信するときの受光レベルとＣＮ比との関係を示している。
【００５２】
図３は、光受信器５における受光レベルが高いときには、１波を受信するときと２波を受信するときとでＣＮ比に大きな差が生じることを示している。このようなＣＮ比の差は、ＴＶ視聴者の視認性に影響を与えることとなり、ＴＶ視聴者に違和感を与える恐れがある。そのため、１波を受信するときと２波を受信するときのそれぞれのＣＮ比が同程度になるのが望ましい。
【００５３】
そこで、２波を混合して伝送する伝送方式の一つとして、従来は、一方の光信号に対し他方の光信号の光強度を５〜１０ｄＢ程度下げて混合することが行われていた。前記他方の光信号の光強度を下げることで、前記一方の光信号への影響をほとんど無くすことができる。このように、２波間の光強度に差を設けて伝送させる場合には、光受信器における２波の信号強度が同等となるよう、各光信号の変調度にも差を設ける必要がある。
【００５４】
２波の光信号の光強度を変えて伝送させたとき、前記２波の光信号を同等の信号強度で受信するのに必要な変調度の一例を図４に示す。同図において、グラフ３１は、所定の光強度で伝送させた前記一方の光信号の変調度を示しており、ここでは１チャンネルあたり９％としている。またグラフ３２は、前記一方の光信号に対する前記他方の光信号の光強度の比（光レベル比）と、前記２波の信号強度を同等とするのに必要な変調度の関係を示している。
【００５５】
さらにグラフ３３は、一般的な直接変調型の光送信器における変調度の許容値を示しており、通常は最大でも３０〜４０％程度であって総合変調度を３０〜３５％としているのが一般的である。前記変調度の許容値は、歪特性の劣化や光クリッピングを回避するために設けられている。
【００５６】
図４より、例えば光信号１２の変調度を１チャンネルあたり９％とし（グラフ３１）、追加された光信号１５の光信号１２に対する光レベル比を５ｄＢ低くした場合には、光信号１５の変調度を１チャンネルあたり２８％とする必要がある。そのため、前記変調度の許容値より、追加可能な信号数が１〜２チャンネル程度となってしまい、波長多重システムのメリットが十分発揮できなくなってしまう。
【００５７】
そこで本発明の光波長多重伝送システム１では、光信号１２と光信号１５との光強度をほぼ同等（光レベル比を零または零に近い値）とする一方、１波受信と２波受信とでＣＮ比の差が殆どなくなる受光レベルとなるよう各光信号の光強度を下げて運用するものとしている。但し、該受光レベルは、ＣＮ比が所定の許容値より高くなる受信レベルを選択するものとする。
【００５８】
上記の通り、光信号１２と光信号１５との光強度をほぼ同等とし、両者の受光レベルを下げることで、２波を受信するときのＣＮ比特性が１波を受信するときより劣化するのを抑えることが可能となる。また、光信号１２と光信号１５との光レベル比を大きくする必要が無いため、両者の変調度をほぼ同一にして伝送することが可能となる。その結果、追加するチャンネル数を制限する必要が無くなり、拡張性の高いシステム構築が可能となる。
【００５９】
なお、光信号１２あるいは光信号１５がデジタル信号の場合には、デジタル信号に対するＣＮ比の許容値が大幅に小さくなる。その結果、デジタル信号の光強度を下げて図４に示す光レベル比を大きくしても、該デジタル信号の変調度をグラフ３２のように大きくする必要はなく、追加するチャンネル数が大幅に制限されることもない。
【００６０】
本発明の光波長多重伝送システム１の適用例を図５に示す。図５に示す光波長多重伝送システム１は、アナログＴＶ放送電波の受信に好適な山上等に光送信器２を設置し、光送信器２で周波数多重信号１１を光信号１２に変換して各加入者宅の光受信器５に伝送している。
【００６１】
また、加入者宅近傍の平地等でＢＳ放送やＣＳ放送等の放送波を受信し、これを光信号１５に変換するための光送信器６を設けている。光送信器６を加入者宅近傍の平地等に設置することで、光送信器２が設置されている山上等への設備や消費電力の追加を回避している。追加の光送信器６を平地等に設けることにより、設備メンテナンス等の負担を軽減することができる。
【００６２】
本発明の光波長多重伝送システムの別の実施形態を図６に示す。図６に示す光波長多重伝送システム４１では、伝送路である光ファイバ３の途中に光増幅器４２を追加している。このように、本発明の光波長多重伝送システムでは、必要に応じて１つ以上の光増幅器を追加することが可能である。
【００６３】
また、図１に示す光波長多重伝送システム１および図６に示す光波長多重伝送システム４１とも、光分配器４を１つだけ備えた構成としているが、加入者宅の軒数や配置等によっては、複数の光分配器を適宜接続した構成とすることも可能である。
【００６４】
本発明の光波長多重伝送システムのさらに別の実施形態として、前記光送信器または前記光増幅器に前記光分配器を内蔵させることにより、システムを容易に実現できるようにすることも可能である。
【００６５】
なお、本実施の形態における記述は、本発明に係る光波長多重伝送システムの一例を示すものであり、これに限定されるものではない。本実施の形態における光波長多重伝送システムの細部構成及び詳細な動作等に関しては、本発明の趣旨を逸脱しない範囲で適宜変更可能である。
【図面の簡単な説明】
【００６６】
【図１】図１は、本発明の実施形態に係る光波長多重伝送システムの概略の構成を示すブロック図である。
【図２】図２は、本実施形態の光波長多重伝送システム１によって伝送される信号の一実施例を示す図である。
【図３】図３は、光受信器における各光信号の受光レベルとＣＮ比との関係を示すグラフである。
【図４】図４は、２波の光信号の光強度を変えて伝送させたとき、前記２波の光信号を同等の信号強度で受信するのに必要な変調度の一例を示すグラフである。
【図５】図５は、本発明の光波長多重伝送システム１の適用例を示すブロック図である。
【図６】図６は、本発明の光波長多重伝送システムの別の実施形態を示すブロック図である。
【図７】図７は、従来のＦＴＴＨ方式を用いてＴＶ信号を各加入者宅に配信する伝送システムの一例である。
【図８】図８は、第二の周波数多重信号を第一の周波数多重信号と同じ地点で受信して同じ光送信器に入力する従来の方式を示すブロック図である。
【図９】図９は、第二の周波数多重信号を第一の周波数多重信号と同じ地点で受信し、別の光受信器に入力する従来の方式を示すブロック図である。
【図１０】図１０は、第一の周波数多重信号と第二の周波数多重信号を別の地点で受信し、波長λ１の光信号で伝送する従来の方式を示すブロック図である。
【図１１】図１１は、第一の周波数多重信号と第二の周波数多重信号を別の地点で受信し、それぞれを別波長の光信号に変換して伝送する従来の方式を示すブロック図である。
【符号の説明】
【００６７】
１、４１・・・光波長多重伝送システム
２、１０２、１４３・・・光送信器
３、１０４・・・光ファイバ
４、１０５・・・光分配器
５、１０６、１２１、１２９、１４１・・・光受信器
１１、１０１、１２８、１４２・・・第一の周波数多重信号
１２、１５、１０３、１１２、１２２、１２６、１２７、１４４・・・光信号
１３・・・混合波
１４、１１１、１３０・・・第二の周波数多重信号
１６、１１３、１４５・・・第一の周波数多重信号と第二の周波数多重信号を含む電気信号
２１・・・１０７・・・電気信号
１２３、１２５・・・ＷＤＭフィルタ
１２４・・・混合光信号
【図１】
2007142496.tif 000003
【図２】
2007142496.tif 000004
【図３】
2007142496.tif 000005
【図４】
2007142496.tif 000006
【図５】
2007142496.tif 000007
【図６】
2007142496.tif 000008
【図７】
2007142496.tif 000009
【図８】
2007142496.tif 000010
【図９】
2007142496.tif 000011
【図１０】
2007142496.tif 000012
【図１１】
2007142496.tif 000013